(57)【要約】      （修正有）【課題】歯列の噛み合わせ面と唇（表）側と舌（裏）側の３面を同時に磨くことができる歯ブラシ（以下全歯周歯ブラシと言う）のうち植毛束を歯ブラシ躯体の中心線側に傾けて植毛する歯ブラシを提供する。【解決手段】左右に連設する植毛基材１，１’の植毛束を内側に傾けたい角θを、予め金型のパーテングラインの並行面と両植毛面２，２’との間に付与して、植毛孔用のピンが垂直に抜けるようにした１次成型後、２次成型によって両植毛基材間、及びネック部の空隙３を両植毛面が１平面になるように、１次成型材料と同材、又は相熔性のある軟質プラスチックで充填成型し、植毛列内部に所望の空隙列が設けられるように植毛する。【選択図】図２
2010188102.tif 000002
【特許請求の範囲】
【請求項１】
手磨きの歯ブラシ及び往復運動又は振動する電動歯ブラシにおいて、把持部からネック部を経て左右に連設する２つの植毛基材は、歯ブラシ完成時に求められる植毛面の垂直線と植毛束のなす角θを、予めパーテングラインの平行面と両植毛面との間に付与し、植毛孔をパーテングラインに垂直に設ける金型を用い硬質熱可塑性プラスチックで１次成型し、次で２次成型用金型によって左右両植毛面が１つの平面になるように各部の空隙部を１次成型と同材、又は相熔性のある軟質熱可塑性プラスチックで２次充填成型する、次いで中央列は短く外側列は長く植毛する歯列を挟んで磨く歯ブラシ。
【請求項２】
手磨きの歯ブラシ及び往復運動又は振動する電動歯ブラシにおいて、把持部からネック部を経て左右に連設する２つの植毛基材は歯ブラシ完成時に求められる植毛面の垂直線と植毛束のなす角θを予め、パーテングラインの平行面と両植毛面との間に付与し、植毛孔をパーテングラインに垂直に設ける金型を用い硬質熱可塑性プラスチックで１次成型し、中央列は短く外側列は長く植毛し、該植毛部が収納し得て、左右両植毛面が１つの平面になるように各部の空隙部を１次成型と同材、又は相熔性のある軟質熱可塑性プラスチックで２次充填成型してなる歯列を挟んで磨く歯ブラシ。
【発明の詳細な説明】
【技術分野】
【０００１】  本発明は日常大多数の人が使用する歯ブラシのうち、歯列の噛み合わせ面と唇（表）側と舌（裏）側の３面を同時に磨くことができる歯ブラシ（以下全歯周歯ブラシと言う）のうち植毛束を歯ブラシ躯体の中心線側に傾けて植毛する歯ブラシに関する。
【背景技術】
【０００２】  全歯周歯ブラシには、大別して普通の歯ブラシの植毛束の中央列を短く植毛し、外側列を長く植毛したものと、植毛基材を２分割又は３分割し、各植毛面を１平面状に配列した状態で歯ブラシ躯体を成型し、植毛後に各植毛基材を内側に傾けて結合又は固定したものとがある。以下後者の文献を挙げる。【０００３】  中央歯ブラシ基材の両側に側部ブラシ基材を設け、弾性帯で角度可変に結合し、中央歯ブラシ基材に短く側部歯ブラシ基材に同じか又は長く植毛することを特徴とする歯ブラシ（特許文献１）特開２００１−３４６６３３【０００４】  溶剤に溶け易いＡＢＳ樹脂等で歯ブラシ把持部の先端両脇に極めて薄い底部を有するＶ字溝を隔てて２つの植毛基材を設け、植毛後にＶ字溝の両脇を寄せ合わせ溶剤を注入し、溶着することを特徴とする歯ブラシ（特許文献２）特公昭６３−５０３２７６【０００５】  前記２例は組み立てに人手を要すること、及び植毛面が２５粍以上になる等の欠点を改善したものとして、夫々２列の植毛孔を有する２面の植毛基材は薄肉の連繋帯で連設されるように硬質の熱可塑性合成樹脂で１次成型し、中央２列は短く外側列は長く植毛し、２面の植毛面を１５０°乃至１６０°位になるように治具に固定し、植毛基材間、及びネック部の空隙部を１次成型材と同質又は、相熔性のある軟質合成樹脂材料で射出成型法により充填固定する本件出願人の有する「歯列を跨いで磨く歯ブラシ」がある。（特許文献３）特許４１４３９８２号
【発明の開示】
【発明が解決しようとする課題】
【０００６】  特許文献１、２においては歯磨き後、植毛基材中央凹溝部、組み立て部品の重なった部分等に残り滓や、長時間乾かない部分があり、非衛生であるが、特許文献３による歯ブラシにおいても、モニター使用中に稀にではあるが１６０°に開いた植毛基材中央部浅い凹溝部に残り滓が滞留することが分明した。この為に、次回歯ブラシを使用するまでに、目に見えなくても雑菌の繁殖は早い速度で進むから、歯ブラシ製造業者としては歯ブラシの植毛基材には残り滓が滞留するような僅かな凹凸があってはならないと思考する。【０００７】  現在行われている歯ブラシの製造法は全歯周歯ブラシを含めて、総て把持部、ネック部、植毛基材部を一体として硬質熱可塑性合成樹脂の射出成型法によって製作し、その際総ての植毛孔はパーテングライン（以下Ｐ／Ｌと表示する）に対し垂直に設けられる植毛孔用ピンを抜くことによって形成される。【０００８】  本発明においては上記の理由から特許文献３の機能を落とさずに、１つの平面植毛材上に１０°位内側に傾斜した植毛束を植毛することが求められる。【０００９】  段落７の製法で植毛孔を傾斜させて設けたい場合、４°位までなら金型の製作も可能であるが、それ以上に傾けたい場合には、そのままでは製作不可能なので植毛基材を２分割又は３分割して、各植毛面をＰ／Ｌに並行に１平面上に並べた状態で植毛孔用ピンを垂直に抜いて歯ブラシ躯体を形成し、植毛した後に、適宜な方法で組み立て固定しなければならず、２面又は３面の植毛面はいずれの場合も折り曲がった状態となり、該部に残り滓が滞留する。
【発明を解決する為の手段】
【００１０】  図４は発明せんとする歯ブラシの頭部側から見た側面図にして、植毛束は植毛面の垂直線に対して１０°位躯体の中心側に傾いた角θで表される。１方、躯体造成のための１次成型においては、植毛孔は図２のうようにＰ／Ｌに対して垂直でなければならない。又、２つの植毛面は図３のように１平面でなければならない。これらの要求を満足させるためには、図２で示すように、各植毛面とＰ／Ｌに平行な面との間に傾けた角θを付与して、両植毛面のなす角度を１８０°＋２θとして１次成型を行い、２次成型によって、図１のネック部、図２の両植毛基材間の空隙部３を充填成型すれば図３の植毛基材が得られる。次で図４のように植毛列の内に空間列＆が得られるように、中央植毛列を短く、外側植毛列を長く植毛するほか、歯科学的に植毛の太さ、長さ、先端の形状等を選択すればよい。
【発明の効果】
【００１１】  本発明の歯ブラシで歯を磨くと、一般の歯ブラシに較べ操作が極めて簡単で、全歯面が短時間で効率よく磨け、併せて歯周ポケットの清掃や歯肉のマッサージも効果的に出来るので、虫歯や歯周病の予防に効果がある。
【００１２】  使用法は、磨き方の指導を受けなくても判るほど簡単で、又、使用中に歯列から外れにくいので、幼児や介護を要する人でも自分で使用できる。
【発明を実施するための最良の形態】
【００１３】  普通の歯ブラシの植毛基材の形は、把持部の先端に細いネック部を経て、巾が１０乃至１２粍位、長さ１５乃至２５粍位、厚さ５粍位の形が定着している。この形、寸法を大きく変更することなく、植毛列のみを歯ブラシ躯体の中心側に１０°位傾けた植毛束を有する形に、植毛束の植毛の仕方のみを変えるのが良いので以下詳述する。【００１４】図２の植毛基材１、１´を有し、図１のような歯ブラシ躯体の多数個取り可能な金型を用意し、これによって熱可塑性合成樹脂の射出成型法によって得た歯ブラシ躯体を２次成型金型に移し、図３のように両植毛基材間の空隙３及びネック部を躯体成型の同材か相溶性のある軟質熱可塑性合成樹脂によって充填成型する。【００１５】  次いで植毛機により、中央２列に３ミル位のフィラメントを露出部の長さ５粍位に植毛し、外側列に太さ５乃至７．５ミル位の１端を先端極細加工したフィラメントを、極細加工した側は１２粍位、他端は８粍位になるように植毛すれば、植毛面に凹んだ処がなく、全植毛束が１０°位歯ブラシ躯体の中心側に傾いて、植毛列の内に歯列を挟んで磨く空隙列αを有する歯ブラシが量産可能に得られる。
【図面の簡単な説明】
【００１６】
【図１】  本発明実施形態を示す、１次成型後の歯ブラシ躯体の平面図
【図２】  図１のＡ−Ａ断面側から見た植毛基材、側面図
【図３】  ２次成型後の歯ブラシ躯体先端から見た植毛基材、側面図
【図４】  図３に植毛した図
【符号の説明】
【００１７】１  １´  植毛基材
２  ２´  植毛面
θ        植毛基材の垂直線と植毛とのなす角
α        植毛空隙列
【図１】
2010188102.tif 000003
【図２】
2010188102.tif 000004
【図３】
2010188102.tif 000005
【図４】
2010188102.tif 000006